(57)【特許請求の範囲】
【請求項１】
両側の枠組の間にカンバスなどを張り渡したカンバスベッドにおいて、枠組として棒状材の端部に、下方に反力受を設けた他の棒状材を、これらの棒状材より下方に設けた軸によって軸着し、これを上方に旋回して折畳み可能とし、軸着された棒状材に掛るカンバスの張力を、前記の軸と反力受によって受けとめるようにしたカンバスベッドの枠組の構造。
【請求項２】
上方に旋回できるだけでなく、横方向にも旋回できるように軸着した請求項１記載のカンバスベッドの枠組の構造。
【請求項３】
張力、反力受および軸の３中心が１直線上にあるようにした請求項１または請求項２記載のカンバスベッドの枠組の構造。
【請求項４】
傾斜した軸によって軸着して、旋回して折畳んだ時、軸着した相手の棒状材の直下に来るようにした請求項１または請求項２または請求項３記載のカンバスベッドの枠組の構造。
【請求項５】
両側の枠組の間隔を縮めて折畳む際、ベッドの長辺方向にずれるようにし、両枠組の突出部を互いに避けるようにした請求項１または請求項２または請求項３または請求項４記載のカンバスベッドの枠組の構造。
【発明の詳細な説明】
【０００１】
【発明の属する技術分野】
この発明は左右１対の棒状材の枠組の間にカンバス等の布状材を張り渡して、短辺方向に折畳むようにしたカンバスベッドをさらに長辺方向にも折畳む構造に関するものである。
【０００２】
【従来の技術】
旋回して長辺方向に折畳むカンバスベッドの枠組は、従来枠組の棒状材より上方に旋回軸を設けるか、または横に並べた棒状材の軸心を貫く水平の旋回軸を設けるものであった。
【０００３】
【発明が解決しようとする課題】
従来の枠組の棒状材の上方に軸を設けるものでは、この軸付近が大きな突起となって使用上、まことに邪魔になり危険でもあった。また棒状材を横に並べて軸心を貫く水平軸によって旋回させる方式では、同じ問題が残る上、短辺方向の折畳み後の巾が厚くなる問題があった。共に軸付近が弱くなりがちであり、これを補強して大きく重くなる傾向があった。
この発明はこれらの問題を解決して、使用時にベッド上面および枠組付近に余分な突起がなく、しかも薄く折畳め、さらに軸への負荷を軽減できるカンバスベッドの枠組を実現することを目的としている。
【０００４】
【課題を解決するための手段】
まず、枠組のうち、折畳みの際、姿勢が変らない部分を単に枠と記し、枠に対して上方に旋回して折畳まれる部分を端枠と記すことにする。上記の目的を達成するためにこの発明では端枠に掛るカンバスの張力に対する反力を受ける部分としての反力受および軸とを共に端枠の棒状材の軸心より下方に設け、これに伴い、枠には軸取付部と反力受からの力を受ける着力部とを枠に、その軸心より下方に設けるものである。  また上方に旋回するための軸に加え横方向にも旋回できるように軸着する。
端枠に掛るカンバスの張力の中心点と反力受および軸の各中心点とを１直線上になるようにする。
また、旋回軸を水平とせず少し傾けて端枠を枠に軸着し旋回して枠の直下に来るようにする。この時、軸の方向と端枠に掛るカンバスの張力の合力の方向を一致させることができる。
両側の枠組の間隔を縮めてベッドの短辺方向に折畳む時、長辺方向には所定寸法だけずれて重ねるようにする。
【０００５】
このように構成した枠組は展開して使用する時には何の邪魔物もなく、平らなベッド面と滑らかな枠組となる。上方と横との２方向に旋回できるように２軸によって端枠を軸着したものは反力受が着力部に噛合っていない時の過負荷による変形や破壊を防ぐことができる。軸が枠の下方にあるので、一見すれば軸に曲げモーメントが掛り、弱くなりそうに見えるが張力、反力受、軸の３つの中心点を１直線上に位置させた場合は、この直線を中心とするモーメントがないので、軸に掛る曲げモーメントが極めて小さくなり強度上、かえって有利となる。折畳んだ時、端枠は旋回して枠の直下に来るので、軸付近を除き、枠と同じ厚さに収めることができ、薄い平板状に折畳める。なお軸の傾斜方向が、端枠のカンバスの張力の方向と一致させた場合は軸に掛る曲げモーメントは０になる。この平板から突出した、枠および端枠の旋回軸取付部付近および着力部は両側の枠組がベッドの長辺方向に少しずれて接近し、折畳まれるので展開時は対称であった各突出部は互いに避けるように収まる。
【０００６】
【発明の実施の形態】
この発明の実施の形態を実施例に基ずき図面を参照しながら説明する。この発明を施したカンバスベッドの全体の展開した側面を図１に、特に鎖線によって端枠２の折畳みの形を示した。同上面を図２に、また枠組を短辺方向に縮小する過程を図３に、特に鎖線によって折畳み完了の形を示す。図２の通り、本品は押棒、継管以外は左右、前後対称なので右上部を主として説明する。この右上部を立体的に示したものが図４および図５で、特に鎖線は端枠２の折畳みの形である。図６は端枠２の枠１への取付け部付近を示す断面図で鎖線により端枠２の折畳みの形を示す。両端を垂直に下垂して、それぞれ脚とした枠１は脚より内側に、水平部から少し下垂した軸取付部によって前後に、１端を曲げて前記の枠側の軸取付部に対応する軸取付部とした端枠２を２本、それぞれ軸９によって軸着して枠組とする。枠１と端枠２の軸取付部の詳細は図４および図５に示すように枠１の軸取付部は丸パイプ状で側面に一対の長穴１７をもち、その外側にゆるみなく回転可能に嵌合したスリーブ１５の丸穴と共に軸９が貫通して、スペーサ１６を介して端枠２を軸着している。外側にスリーブ１５を被せる代わりに側面に貫通穴を持った短い棒状材を内側に挿入してもよい。枠組は左右に配置され、間に張布３を張り渡してカンバスベッドとなる。なお、端枠２の下方に反力受８を設け、この反力を受ける鉤状の着力部１０を枠側に設ける。着力部１０には反力受８の不意の離脱を防ぐラッチ機構を付加してもよい。
【０００７】
端枠２に掛る張布３の張力の中心、点１１、反力受８の反力の中心、点１２、軸９の中心、点１３は直線１４上になるようにしてある。
軸９は図６に示すように水平より少し傾いて取付けられており、その角度は旋回して端枠２の張布３が張り渡されている部分が枠１の直下に来るように定められている。軸９の傾斜方向は取付け部の下垂距離と関連して定められるので折畳み時に枠１の水平部の直下に来るようにし、展開時にはカンバスの張力方向と一致させることができる。
図１および図３に示すように上側の枠１の脚部にはまって回転自由な継管４と連結された押棒６と、同様に下側の枠にはまって回転自由な継管５と連結された押棒７は端部でピン結合され、内側にのみ屈曲可能なベッドの折畳み・展開機構になっている。有効長において継管４は継管５より短くなっているが押棒６と押棒７は等長である。これらの押棒と継管による両側の枠組の押し広げ機構は１例であり、他に多種多様の同機能の機構が公知であり、ベッドの短辺方向に縮小する時は、それぞれに適した構造を採用して、左右の枠組が少しずれるようにすればよい。
【０００８】
以上のように構成した実施例の作用と機能について述べる。図１および図２に示すように枠１と端枠２の重なる部分には身体に接触するような何の突起もなく、平らなベッド面と滑らかな枠組を実現する。折畳みの際、反力受８と着力部１０の噛合が外れているときに、端枠２に、不意に過大な力が負荷されても軸９はスリーブ１５と共に枠１の軸取付部の長穴１７に相応する所定角度分は横方向に旋回できるので軸取付部の変形や破壊を防ぐことができる。
片持となる端枠２に働く力を考えると人体の頭部または脚部による分布荷重の合力を、図１、図２および図５に示したようにＰとし、垂直力をＰＶ、水平力をＰＨとする。Ｐに対して点１２に働く反力をＱ、点１３に働く反力をＲとする。ＰＨは通常ＰＶの２〜３倍である。Ｐの作用点、点１１と反力受での反力の中心、点１２および軸９の中心、点１３は直線１４上に来るようにしてあるので、この直線１４を軸とする捩りモーメントは生じない。厳密に同一直線上になくても、点１１と点１３を結ぶ直線に点１２が近づけば近づく程、このモーメントは小さくなり、実用上、大きな効果がある。従って軸９に余計な曲げモーメントが掛らない。
【０００９】
Ｐの水平力ＰＨによる軸９での反力ＲＨは端枠２を貫通する軸９を単にガイドとして直接、枠１に伝えられる。Ｐの垂直力ＰＶの反力ＲＶは端枠２の直径または巾の半分との積が曲げモーメントとなって軸９に負荷されるが、値としては小さい。前述のように、軸９の傾斜方向とカンバスの張力の方向とを一致させることが可能で、その場合は軸９には曲げモーメントは掛らない。このように軸９に掛る負荷は全体として極めて少なくなる。
前記の如く軸９は水平より少し傾斜しており、旋回して端枠２が枠１の直下に来るようになっているので、両者は棒状材の直径または巾を厚さとする平板状に折畳まれる。両者の軸９の取付部と着力部１０は突出部となるが両側の枠１は短辺方向に折畳みの時、長辺方向にずれて、各突出部が互いに避けるようになるので全体としても薄い平板状となる。
【００１０】
【発明の効果】
以上に述べたように構成され、作用し、機能するので次のような効果がある。
端枠の下方にカンバスの張力に対する反力を受ける反力受と折畳みのための旋回の軸とを設けたものは、平らなベッド面と滑らかな枠組を実現する。端枠を上方に旋回できるだけでなく、横方向にも旋回できるようにしたものは不意の過負荷を避け、軸取付部の変形や破壊を防ぐことができる。
張力、反力受、軸の３中心を１直線上に配置したものは軸への負荷を著しく軽減し、強度を向上させる。
軸を傾けて端枠を旋回して枠の直下に来るようにしたものは枠組を極めて薄く折畳むことができる。両側の枠組を近づけて短辺方向に折畳んだ時、長辺方向に少しずれるようにしたものは薄い平板状に折畳んだ両側の枠組を各突出部が互いに回避するようにして、より近づけて全体としても薄い平板状に折畳める。
【図面の簡単な説明】
【図１】実施例の展開時の右側面図。端枠の折畳み過程を鎖線で示す。
【図２】実施例の展開時の上面図。
【図３】折畳み過程の枠組を実線、折畳み後を鎖線で示し、１部を省略した上面図。
【図４】端枠２の取付部付近の一部を破断した、外方からの斜視図。
【図５】実施例の右上部の斜視図。鎖線は折畳みの形を示す。
【図６】図１のＡＡにおける断面図。折畳み後の姿を鎖線で示す。
【符号の説明】
１  枠                    Ｐ  点１１に働く、端枠２のカンバスの
２  端枠                      張力の合力
３  張布                  ＰＨＰの水平分力
４、５  継管              ＰｖＰの垂直分力
６、７  押棒              Ｑ  点１２に働く、Ｐに対する反力
８  反力受                Ｒ  点１３に働く、Ｐに対する反力
９  軸                    ＲｖＲの垂直分力
１０  着力部
１１、１２、１３  点
１４  直線
１５  スリーブ
１６  スペーサ
１７  長穴
【図１】
0003586825.tif 000002
【図２】
0003586825.tif 000003
【図３】
0003586825.tif 000004
【図４】
0003586825.tif 000005
【図５】
0003586825.tif 000006
【図６】
0003586825.tif 000007